(57)【要約】      （修正有）【課題】自動車運転時の肩・腕カバー、ベビーカーやチャイルドシートあるいはだっこ紐使用時の赤ちゃんの保護・保温・日除けカバーとしての機能を付与することで、外出の労苦を軽減させる、多目的ブランケット（ストール）を提供する。【解決手段】長方形の布繊維の一端あるいは複数の端に沿って、肩から羽織って前を閉じるためのボタン８１ａ、８１ｂ、８２ａ、８２ｂまたは面ファスナーを複数付与すると共に、一部のボタン又は面ファスナーのオス／メスを逆位置に取り付ける。【選択図】図３
0003153846.tif 000002
【実用新案登録請求の範囲】
【請求項１】
長方形の布繊維の一端に沿って、着用時の前面留め具としてボタンまたは面ファスナーを複数個付与すると共に、フック、バー、紐に容易に装着できる固定具として、両端部にオス／メスを逆位置に取り付けた１個、又は複数個のボタン又は面ファスナーを配置していることを特徴とする多目的ブランケット。
【請求項２】
長方形の布繊維は、天然繊維、化学繊維であって、幅３００ｍｍ〜１０００ｍｍであり、長さ８００ｍｍ〜２０００ｍｍであることを特徴とする請求項１に記載の多目的ブランケット。
【請求項３】
フック、バー、紐などに容易に装着できる固定具は、２本以上の紐、または輪状にした紐、ピンであることを特徴とする請求項１に記載の多目的ブランケット。
【請求項４】
長方形の布繊維の一端に取り付けるボタンまたは面ファスナーは、２個〜１０個であることを特徴とする請求項１に記載の多目的ブランケット。
【考案の詳細な説明】
【技術分野】
【０００１】
女性の、とくに出産後の授乳期（乳児期）、幼児期、さらに育児期間の外出時などに、子供用・自分用・育児用などを兼ねて活用できる多目的なブランケットに関するものである。
【背景技術】
【０００２】
授乳期（乳児期）や幼児期など、育児期間の外出時、女性は、携行を要するものが非常に多くなる。例えば、授乳に際し肌を見えにくくするための授乳カバー（特許文献１参照）や、ベビーカーに載せたり、だっこ紐で抱いた赤ちゃんを、保温・日除けのために覆うブランケットなどである。しかも、ブランケットをベビーカーやチャイルドシートあるいはだっこ紐に使用する場合、何らかの固定具が必要となり、外出時の携行物をさらに増やしてしまっていた。
【０００３】
そのため、従来から、育児期の女性に便利な商品として、これらの機能を兼用化させた携行用商品は存在した。例えば、ベビーカー使用時でも、だっこ紐使用時でも赤ちゃんを覆う機能を同様に果たせるケープ（特許文献２参照）や、授乳カバーとおんぶカバーを兼用させたカバー（特許文献３参照）などである。
【０００４】
しかし、いずれの商品も機構が複雑で、嵩張るものになりやすく、使用手順も煩雑で十分な多機能化を果たせていないため、女性が、汎用的に便利に使用できる商品には至っていなかった。
【先行技術文献】
【特許文献】
【０００５】
【特許文献１】特開２００８−３１６１３
【特許文献２】特開２００４−３０８４
【特許文献３】特開２００９−４６７８８
【考案の概要】
【考案が解決しようとする課題】
【０００６】
女性、とくに出産後の女性においては、育児期間（授乳期、乳児期、幼児期、さらに育児時間外も含め）、とくに外出時は携行を要する物が多く、外出は非常に労苦を伴うものであった。１枚の簡単なブランケットによって、授乳用ケープ、外出時のとくに自動車運転時の肩・腕カバー、ベビーカーやチャイルドシート、あるいはだっこ紐使用時の赤ちゃんの保護・保温・日除けカバーとしての機能を付与することで、外出の労苦を軽減させる多目的ブランケットを提供することを目的とする。
【課題を解決するための手段】
【０００７】
長方形の布繊維の端に沿って、肩から羽織って前を閉じるためのボタンや紐等の留め具を付設するとともに、ベビーカーやチャイルドシートあるいはだっこ紐のフック・バー・紐部などに容易に装着できる固定具を併せて付設することで、単なるブランケットとしてだけでなく、授乳用ケープ、外出時とくに自動車運転時の肩・腕カバー、ベビーカーやチャイルドシートあるいはだっこ紐使用時の赤ちゃんの保護・保温・日除けカバーとしての使用も可能となる多目的ブランケットである。
【０００８】
長方形の布繊維の端に沿って、着用時の前面留め具としてボタンまたは面ファスナーを複数個付与すると共に、フック、バー、紐に容易に装着できる固定具として、両端部にオス／メスを逆位置に取り付けた１個、又は複数個のボタン又は面ファスナーを配置しているブランケットである。
【０００９】
長方形の布繊維は、天然繊維、化学繊維であって、幅３００ｍｍ〜１０００ｍｍであり、長さ８００ｍｍ〜２０００ｍｍである。好ましくは幅４００ｍｍ〜８００ｍｍで、長さ１０００ｍｍ〜１８００ｍｍである。
【００１０】
フック、バー、紐などに容易に装着できる固定具は、２本以上の紐、または輪状にした紐、ピンでも可能である。フック、バー、紐は通常使用されるものなら制限しない。
ブランケットである長方形の布繊維の端に取り付けるボタン、または面ファスナーの個数は、２個〜１０個であり、好ましくは２個〜６個である。
【００１１】
なお、ここでは、ボタン、または面ファスナーで留め具を構成しているが、ピンなどを用いることでも、同様の多機能化を実現できる。
これにより、携行が容易な非常に簡単な構造で単なるブランケット（ストール）としてだけでなく、授乳用ケープ、外出時のとくに自動車運転時の肩・腕カバー、ベビーカーやチャイルドシートあるいはだっこ紐使用時の赤ちゃんの保護・保温・日除けカバーとしての多目的な使用が可能となった。
【考案の効果】
【００１２】
本考案の多目的ブランケットは、携行が容易な非常に簡単な構造で、ブランケットとしてだけでなく、ストール、授乳用ケープ、外出時、とくに自動車運転時の肩・腕カバー、ベビーカーやチャイルドシート、あるいはだっこ紐使用時の赤ちゃんの保護・保温・日除けカバーとして幅広く活用できた。
【００１３】
また女性、とくに育児期間（授乳期、乳児期、幼児期、さらに育児時間外も含め）の女性は、外出に際し、携行を要するものが非常に多く、外出には多大な労苦を伴っていたが、本考案の多目的ブランケットを携行することにより、携行を要するものを非常に減らすことが可能となり、外出の労苦が非常に軽減された。
【図面の簡単な説明】
【００１４】
【図１】本発明の構成例としてスタッド・ボタンを用いた場合の製品概略図
【図２】本発明の構成例として、ボタンと紐を用いた場合の製品概略図
【図３】本発明の実際の使用形態を示す概念図  ａ．本発明における、肩に羽織った状態の斜視図  ｂ．本発明におけるベビーカーのバー部に取り付けた時の斜視図  ｃ．本発明のブランケットを女性用ストールに使用した実施例図  ｄ．本発明のブランケットを幼児用に使用した実施例図  ｅ．本発明における、運転時に肩に羽織った状態の実施例図  ｆ．本発明の図１の構成における、授乳時に肩に羽織った状態の実施例図  ｇ．本発明の図１の構成における、ベビーカーのバー部に取り付けた時の実施例図
【図４】本発明の構成例としてボタンおよび紐を用いた場合の、肩に羽織った状態の斜視図
【図５】本発明の構成例としてボタンおよび紐を用いた場合の、ベビーカーのバー部に取り付けた時の斜視図
【図６】従来のブランケットをベビーカーの保護カバーに使用した図
【考案を実施するための形態】
【００１５】
図１、及び図２は、構成例としてスタッド・ボタン、又はボタンと紐とを用いた場合の本発明の製品形状を示す平面図であり、図３は実際の使用形態を示す概念図である。
これらのボタンによって肩から羽織って前を閉じることが出来るため、ブランケット（図３−ｄ）やストール（図３−ｃ）としての使用だけでなく、外出時に肩や腕をカバーするように羽織る事が出来、とくに運転時に滑り落ちないため安全に運転動作を行うことが可能となった（図３−ｅ）。
【００１６】
また、外出時の簡易的な授乳カバーとしての使用も可能となった（図３−ｆ）。また、一部ボタンのオス／メスを逆に取り付けていることで、袋状にボタンを留めることにより（図３−ｂ：ベビーカーのバー部に取り付けた時の斜視図）、ベビーカーやチャイルドシートあるいはだっこ紐のフック・バー・紐部などに容易に長さを調節して脱着できるようになった（図３−ｇ）。なお、このボタンは、運転時に袖部の固定用に使用することもできる。
【００１７】
また、図２のようなものにして、若干複雑化し嵩張るが、留め具や固定具の一部に紐や紐を輪状にしたものを組み合わせることでも同様の多機能化を実現できる（図２：構成例としてボタンと紐を用いた場合の本発明の製品形状を示す平面図、図４：肩から羽織って前を閉じた時の斜視図、図５：ベビーカーのバー部に取り付けた時の斜視図）。
【００１８】
本考案のブランケットは、ブランケットとしてだけでなく、ストール、授乳用ケープ、外出時とくに自動車運転時の肩・腕カバー、ベビーカーやチャイルドシートあるいはだっこ紐使用時の赤ちゃんの保護・保温・日除けカバーとして幅広く活用できる。この具体的な例として、実施例で説明する。
【実施例１】
【００１９】
図１は構成例としてスタッド・ボタンを用いた場合の製品概略図である。本考案においては、肩に羽織った状態では乳幼児を抱いていても胸元・肩・腕をカバーできるように、またベビーカーに掛けた状態では乳幼児の足までカバーできるように、幅は５００ｍｍ、長さは１５００ｍｍものを使用した。布繊維は紫外線吸収繊維のポリエステルと綿の混紡繊維を用いた。肩に羽織った時に前を閉じれるように、一端に沿ってスタッドボタンをオスとメスを左右に５個づつ付けたが、一番外側のボタンについてはオス／メスを左右逆に取り付けた。
【００２０】
このものは、秋冬用としてはフリースや毛布などの織物素材、春夏用としては紫外線吸収素材などの薄手の繊維素材である。
図３−ａは、本実施例の構成における、肩に羽織った状態の斜視図である。長方形のブランケット（ストール）の一端あるいは複数の端に沿って、肩から羽織って前を閉じるためのスタッド・ボタンを複数付与すると共に、一部のボタンのオス／メスを逆位置に取り付けている。
【００２１】
これらのスタッド・ボタンによって肩から羽織って前を閉じることが出来るため、ブランケットやストールとしての使用だけでなく、外出時に肩や腕をカバーするように羽織ることができ、とくに運転時に滑り落ちないため安全に運転動作を行うことが可能となった（図３−ｅ）。また、外出時の簡易的な授乳カバーとしての使用も可能となった（図３−ｆ）。
【００２２】
また、一部ボタンのオス／メスを逆に取り付けていることで、袋状にボタンを留めることにより、ベビーカーやチャイルドシートあるいはだっこ紐のフック・バー・紐部などに容易に長さを調節して脱着できるようになった。このボタンは、運転時の使用に際し袖部の固定として使用することもできる。図３−ｂはベビーカーのバー部に取り付けた時の斜視図、図３−ｇは実際に使用した時の概略図である。
【００２３】
これにより、単なるブランケット（ストール）としてだけでなく、授乳用ケープ、外出時のとくに自動車運転時の肩・腕カバー、ベビーカーやチャイルドシートあるいはだっこ紐使用時の赤ちゃんの保護・保温・日除けカバーとしての使用が可能となった。
【実施例２】
【００２４】
図２は、本発明の構成例としてボタンおよび紐を用いた場合の製品概略図、図４は同構成において肩に羽織った状態の透過斜視図である。本考案においては、肩に羽織った状態では乳幼児を抱いていても胸元・肩・腕をカバーできるように、またベビーカーに掛けた状態では乳幼児の足までカバーできるように、布繊維は紫外線吸収繊維のポリエステルと綿の混紡繊維であって、幅は５００ｍｍ、長さは１４００ｍｍものを使用した。一端に沿ってボタンを５個づつ付け、その両端に固定用の紐を取り付けた。
【００２５】
また、秋冬用としてはフリースや毛布などの織物素材、春夏用としては紫外線吸収素材などの薄手の繊維素材である。長方形のブランケット（ストール）の一端あるいは複数の端に沿って、肩から羽織って前を閉じるためのボタンを複数付与すると共に、ボタン近部に２本、あるいは２本以上の紐、または輪状にした紐を取り付けた。
【００２６】
これらのボタンによって肩から羽織って前を閉じることが出来るため、ブランケットやストールとしての使用だけでなく、外出時に肩や腕をカバーするように羽織ることができ、とくに運転時に滑り落ちないため安全に運転動作を行うことが可能となった。
【００２７】
また、外出時の簡易的な授乳カバーとしての使用も可能となった。また、紐、または輪状にした紐を、ベビーカーやチャイルドシートあるいはだっこ紐のフック・バー・紐部などに結びつけた、または引っ掛けることでブランケットを容易に脱着できるようになった。図５はベビーカーのバー部に取り付けた時の斜視図である。
【００２８】
これにより、単なるブランケット（ストール）としてだけでなく、授乳用ケープ、外出時とくに自動車運転時の肩・腕カバー、ベビーカーやチャイルドシートあるいはだっこ紐使用時の赤ちゃんの保護カバーとしての使用が可能となった。この紐は、運転時の使用に際し、袖部の固定として使用することもできた。
【実施例３】
【００２９】
本考案の構成例として、長方形のブランケット（ストール）の一端あるいは複数の端に沿って、肩から羽織って前を閉じるためのボタンを複数付与すると共に、ピンなどの固定具をあわせて付けた。本考案においては、肩に羽織った状態では乳幼児を抱いていても胸元・肩・腕をカバーできるように、布繊維は紫外線吸収繊維のポリエステルと綿の混紡繊維であって、幅は５００ｍｍ、長さは１６００ｍｍものを使用した。一端に沿ってボタンを５個づつ、両端に固定用のピンを取り付けた。
【００３０】
また、秋冬用としてはフリースや毛布などの織物素材、春夏用としては紫外線吸収素材などの薄手の繊維素材のものである。
これらのボタンによって肩から羽織って前を閉じることが出来るため、ブランケットやストールとしての使用だけでなく、外出時に肩や腕をカバーするように羽織る事が出来、とくに運転時に滑り落ちないため安全に運転動作を行うことが可能となった。
【００３１】
外出時の簡易的な授乳カバーとしての使用も可能となった。また、ピンなどの固定具で、ベビーカーやチャイルドシートあるいはだっこ紐のフック・バー・紐部などに容易に長さを調節して脱着できるようになった。これにより、単なるブランケット（ストール）としてだけでなく、授乳用ケープ、外出時とくに自動車運転時の肩・腕カバー、ベビーカーやチャイルドシート、あるいはだっこ紐使用時の赤ちゃんの保護カバーとしての使用が可能となった。
「比較例１」
【００３２】
比較例として、図６に従来製品を示した。ブランケットやストールをベビーカー使用時の保温カバーに兼用した場合の使用例である。ここでは、寸法として、幅は７０ｃｍ程度、長さは１００ｃｍ程度、素材としては、毛布などの織物素材での例を示した。使用にあたり、固定用としてクリップ等の固定具を使用する必要があり、これらの固定具は、携行に際しては  かさばり、紛失することも多かった。
【符号の説明】
【００３３】
１１  固定用スタッド・ボタン、
１２  スタッド・ボタン（留め具）
２１  固定用紐
８１ａ、８１ｂ  スタッド・ボタン（オス）、
８２ａ、８２ｂ  スタッド・ボタン（メス）
ｃ−１  ストールとしての使用時の本発明の製品
ｄ−１  ブランケットとしての使用時の本発明の製品
ｅ−１  運転時の日除け等の肩・腕カバーとしての使用時の本発明の製品
ｆ−１  授乳カバーとしての使用時の本発明の製品
ｇ−１  ベビーカー上の赤ちゃんの日除けカバーとしての使用時の本発明の製品
６１  固定具（クリップ） 
【図１】
0003153846.tif 000003
【図２】
0003153846.tif 000004
【図３】
0003153846.tif 000005
【図４】
0003153846.tif 000006
【図５】
0003153846.tif 000007
【図６】
0003153846.tif 000008
【手続補正書】
【提出日】平成21年7月17日(2009.7.17)
【手続補正１】
【補正対象書類名】実用新案登録請求の範囲
【補正対象項目名】全文
【補正方法】変更
【補正の内容】
【実用新案登録請求の範囲】
【請求項１】
長方形の布繊維の一端に沿って、着用時の前面留め具としてボタン、又は面ファスナーを複数個付与すると共に、フック、バー、又は紐に容易に装着できる固定具として、両端部にオス／メスを逆位置に取り付けた１個、又は複数個のボタン又は面ファスナーを配置していることを特徴とする多目的ブランケット。
【請求項２】
長方形の布繊維は、天然繊維、又は化学繊維であって、幅３００ｍｍ〜１０００ｍｍであり、長さ８００ｍｍ〜２０００ｍｍであることを特徴とする請求項１に記載の多目的ブランケット。
【請求項３】
フック、バー、紐などに容易に装着できる固定具は、紐、輪状にした紐、又はピンから選ばれた１種以上であることを特徴とする請求項１に記載の多目的ブランケット。
【請求項４】
長方形の布繊維の一端に取り付けるボタンまたは面ファスナーは、２個〜１０個であることを特徴とする請求項１に記載の多目的ブランケット。